(57)【要約】【課題】楽曲データを記憶できるカードを利用して、このカードに記憶された楽曲データを、ワンタッチ操作で当該楽曲データを読み込み、その登録と再生をすることができる楽曲データ再生装置を提供する。【解決手段】楽曲データを記憶する記憶媒体を有する他の異なる種類の再生装置と共用されるカードにアクセスして楽曲データを読み込むカードＩ／Ｆと、このカードＩ／Ｆが読み込んだ楽曲データを登録する登録手段を具備し、所定の条件において前記楽曲データを再生する。また、この楽曲データ再生装置は、携帯情報端末または電子オルゴールまたは時刻を報知する機能を有する時計または電子ペット型ロボットまたは携帯電話機に適用される。【選択図】　　　　図１
2004061549.tif 000002
【特許請求の範囲】
【請求項１】
再生するための楽曲データを記憶する記憶媒体を有する他の異なる種類の再生装置と共用されるカードに、所定の条件においてアクセスして前記楽曲データを読み込むインターフェースと、
前記読み込まれた楽曲データを再生する再生手段を具備する
ことを特徴とする楽曲データ再生装置。
【請求項２】
再生するための楽曲データを記憶する記憶媒体を有する他の異なる種類の再生装置と共用されるカードにアクセスして前記楽曲データを読み込むインターフェースと、
前記インターフェースが読み込んだ楽曲データを登録する登録手段と、
前記登録手段が登録した楽曲データを所定の条件において再生する再生手段を具備する
ことを特徴とする楽曲データ再生装置。
【請求項３】
前記楽曲データ再生装置は、
携帯情報端末または電子オルゴールまたは時刻を報知する機能を有する時計または電子ペット型ロボットまたは携帯電話機に適用される
ことを特徴とする請求項１または請求項２に記載の楽曲データ再生装置。
【請求項４】
前記カードは、
磁気カードまたはＩＣカードまたはメモリカードである
ことを特徴とする請求項１から請求項３のいずれかに記載の楽曲データ再生装置。
【発明の詳細な説明】
【０００１】
【発明の属する技術分野】
本発明は、カードを利用した楽曲データ再生装置に関する。
【０００２】
【従来の技術】
楽曲を再生可能な機器（例えば、ＭＩＤＩ（Ｍｕｓｉｃａｌ　Ｉｎｓｔｒｕｍｅｎｔ　Ｄｉｇｉｔａｌ　Ｉｎｔｅｒｆａｃｅ）応用製品等）に楽曲データを登録する場合、特定の機器を用いて楽曲データを、例えば手入力で入力し登録することが行われる。また、電子目覚まし時計等では、その多くはメーカー側で予め楽曲データが登録され、登録されたメロディ等のアラーム音が再生される。また、特開平０４−３０１８８９号公報に開示された電子オルゴールの発明では、ＩＣカードを利用して、このカードの差し替えにより他種類の曲を演奏させることができるようになっている。
他方、携帯電話機やパーソナル・コンピュータや電子ペット型ロボット等の場合では、インターネットのようなネットワークを介した楽曲データの配信サービスを利用して、利用者が、楽曲データの配信者が設けた配信サーバから、有料または無料で楽曲データをダウンロードすることにより、所望の楽曲データを取得・登録できるようにもなっている。
【０００３】
【発明が解決しようとする課題】
上記のように特定の機器を用いて楽曲データを、例えば手入力で入力し登録する場合、特に和音数が多い場合には相応の手間がかかる。また、電子目覚まし時計等では、上記のように、メーカー側で予め楽曲データが登録されるので、一般的には、利用者が、新たに楽曲データの登録をすることができないものとなっている。また、特開平０４−３０１８８９号公報に開示された電子オルゴールの発明では、ＩＣカードを交換可能な外部メモリ（当該電子オルゴールの一部）としてのみ利用できるにすぎない。
また、配信サーバから楽曲データをダウンロードする場合、ネットワーク環境の利用に不慣れな人たちなどにはダウンロードする操作が負担となる。また、配信サーバにアクセスするには、プロバイダを利用するための課金や、楽曲データ自体に対しさらに課金される場合もあり、多くをダウンロードしようとすると金銭的負担も大きくなる。また、月額制の配信サイトを利用する場合、毎月同じ配信サイトを利用するとは限らないため金銭的負担に無駄が生じる場合がある。
【０００４】
本発明は、上記の点に鑑みてなされたもので、楽曲データを記憶できるカードを利用して、このカードに記憶された楽曲データを、ワンタッチ操作で当該楽曲データを読み込み、その登録と再生をすることができる楽曲データ再生装置を提供するものである。
【０００５】
【課題を解決するための手段】
上記の課題を解決するために、請求項１に記載の発明は、再生するための楽曲データを記憶する記憶媒体を有する他の異なる種類の再生装置と共用されるカードに、所定の条件においてアクセスして前記楽曲データを読み込むインターフェースと、前記読み込まれた楽曲データを再生する再生手段を具備することを特徴とする。
【０００６】
また、請求項２に記載の発明は、再生するための楽曲データを記憶する記憶媒体を有する他の異なる種類の再生装置と共用されるカードにアクセスして前記楽曲データを読み込むインターフェースと、前記インターフェースが読み込んだ楽曲データを登録する登録手段と、前記登録手段が登録した楽曲データを所定の条件において再生する再生手段を具備することを特徴とする。
【０００７】
また、請求項３に記載の発明は、請求項１または請求項２に記載の楽曲データ再生装置において、前記楽曲データ再生装置が、携帯情報端末または電子オルゴールまたは時刻を報知する機能を有する時計または電子ペット型ロボットまたは携帯電話機に適用されることを特徴とする。
【０００８】
また、請求項４に記載の発明は、請求項１から請求項３のいずれかに記載の楽曲データ再生装置において、前記カードが、磁気カードまたはＩＣカードまたはメモリカードであることを特徴とする。
【０００９】
本発明の楽曲データ再生装置は、所定の条件においてそのインターフェースが、楽曲データを記憶する記憶媒体を有する他の異なる種類の再生装置と共用されるカードにアクセスして楽曲データを読み込み、再生手段が、読み込まれた楽曲データを再生する。
また、本発明の楽曲データ再生装置は、そのインターフェースが、楽曲データを記憶する記憶媒体を有する他の異なる種類の再生装置と共用されるカードにアクセスして楽曲データを読み込み、登録手段が、インターフェースにより読み込まれた楽曲データを登録する。この発明では、カードから読み込まれ登録された楽曲データが、所定の条件下で再生される。
【００１０】
いずれの楽曲データ再生装置も、カードにアクセスすることによって楽曲データを読み込むので、楽曲データを読み込むための操作はワンタッチ操作となり、非常に簡単なものとなる。
なお、本発明において、楽曲データを記憶する記憶媒体を有するカードは、楽曲データを本発明の楽曲データ再生装置に読み込ませるためにだけあるもので、一度楽曲データを楽曲データ再生装置に読み込ませた後は、別途任意に使用できるものである。
また、本発明の楽曲データ再生装置の実体としては、携帯情報端末または電子オルゴールまたは電子目覚まし時計等の所定の時刻を報知する機能を有する時計または電子ペット型ロボットまたは携帯電話機であることが望ましい。
また、楽曲データを記憶する記憶媒体を有するカードとしては、磁気カードまたはＩＣカードまたはメモリカードであることが望ましい。また、これらのカードは接触型／非接触型のいずれでもよい。
【００１１】
【発明の実施の形態】
以下、本発明の実施の形態を、図面を参照して説明する。
図１は、本発明の一実施の形態である楽曲データ再生装置の構成を示すブロック図である。
【００１２】
図１において、符号１ａは、ＣＰＵ（中央処理装置）であり、各種制御プログラムを実行することにより楽曲データ再生装置１の各部の動作を制御する。
符号１ｂは、カードＩ／Ｆ（カード・インターフェース）である。このカードＩ／Ｆ・１ｂは、本実施の形態において利用するカードの装着を受ける機構と、カードの装着を検出する機能と、装着されたカードから楽曲データを読み込むためのインターフェース回路を備えている。なお、このカードＩ／Ｆ・１ｂは、カードが非接触式の場合は、カードに近づけてアクセスするカードリーダにより構成される。
【００１３】
符号１ｃは、ＲＡＭ（Ｒａｎｄｏｍ　Ａｃｃｅｓｓ　Ｍｅｍｏｒｙ）であり、ＣＰＵ・１ａのワークエリアや、カードから読み込まれた楽曲データの格納エリア、その他楽曲データ再生装置１において一時記憶されるデータ格納エリアが設定される。例えば、楽曲データ再生装置１が、電子メールの送受信機能をもつ場合、送信する電子メールや受信した電子メールのデータが格納されるメールデータ格納エリア等も設定される。
【００１４】
符号１ｄは、ＲＯＭ（Ｒｅａｄ　Ｏｎｌｙ　Ｍｅｍｏｒｙ）である。このＲＯＭ・１ｄは、ＣＰＵ・１ａが実行するこの楽曲データ再生装置１が有する固有の機能を実現するプログラムや、楽曲再生処理を補助するプログラムや、カードＩ／Ｆ・１ｂに装着されたカードから楽曲データを読み込み、ＲＡＭ・１ｃの所定エリアに登録するプログラム等や、予め登録された楽曲データや各種データが格納されている。
【００１５】
なお、上記固有の機能を実現するプログラムとは、例えば、楽曲データ再生装置１が携帯情報端末であれば、当該携帯情報端末上で実行される各種アプリケーションのプログラム等であり、楽曲データ再生装置１が電子目覚まし時計であれば、利用者により設定されたアラーム時刻にアラーム音を放音させたり、登録された楽曲データを再生させたりする機能を実現するプログラム等であり、楽曲データ再生装置１が電子ペット型ロボットであれば、その動きを制御するためのプログラム等であり、楽曲データ再生装置１が携帯電話機（ここでは、ＰＨＳ（登録商標）（Ｐｅｒｓｏｎａｌ　Ｈａｎｄｙｐｈｏｎｅ　Ｓｙｓｔｅｍ）端末を含むものとする）であれば、送信・着信等の制御をする各種電話機能プログラムや電子メールの送受信を制御するメール送受信機能プログラム等である。
【００１６】
符号１ｅは、音源であり、ＣＰＵ・１ａの制御を受け、ＣＰＵ・１ａから供給される楽曲データを再生してスピーカ１ｆから放音する。
上記各部はバス１０によりＣＰＵ・１ａに接続されている。
以上が、本実施の形態の楽曲データ再生装置１が備える基本的な構成である。
【００１７】
なお、本実施の形態で利用するカードは、いわゆる磁気カード、ＩＣカード、メモリカード等のデータ（特に楽曲データ）を記憶可能な記憶媒体を有するデータキャリアであり、一般的にカード形状をしている。もちろん、こうした種類のカードは、多くが規格化され一般に普及しており、本実施の形態においてもそのまま利用することができる。規格化されたカードを利用する場合、上記カードＩ／Ｆ・１ｂは、もちろん当該規格に準じた構成をとる。
【００１８】
また、この楽曲データ再生装置１が、携帯情報端末または電子オルゴールまたは電子目覚まし時計または電子ペット型ロボットまたは携帯電話機である場合、これらに固有の機能を実現するための構成（図示せず）をさらに備えるが、これらは周知技術により構成してよい。例えば、楽曲データ再生装置１が携帯電話機である場合、アンテナと、このアンテナを介して受信した受話信号を復調するとともに、送信する信号を変調してこのアンテナに供給する通信部や、復調された受話信号を、ＣＥＬＰデコーダにより復号して後、Ｄ／ＡコンバータによりＤ／Ａ変換して受話口（イヤースピーカ）から出力させる一方、送話口（マイク）から入力された音声信号を、Ａ／Ｄコンバータによりデジタル化してＣＥＬＰエンコーダ（いずれも図示せず）において圧縮符号化し、通信部に供給する音声処理部等の携帯電話機に必要な構成要素をさらに備える。
また、携帯情報端末または電子オルゴールまたは電子目覚まし時計または電子ペット型ロボットまたは携帯電話機等、同一規格のカードのカードＩ／Ｆをもつ楽曲データ再生装置１を、利用者が複数所有する場合、１つのカードで全ての機器に楽曲データを登録できる。
【００１９】
次に、このように構成された本実施形態の楽曲データ再生装置１の動作について、カード作成（楽曲データの書き込み）およびカードの配布の過程も含め説明する（図２参照）。
【００２０】
図２（ａ）では、カード作成の過程を示している。ここでは、はじめにカードの提供者が、楽曲制作用のオーサリングツールを用いて楽曲データを制作する（ステップＳ２１１）。ここで制作される楽曲データは、もちろん楽曲データ再生装置１にて再生可能なデータ・フォーマットをもつ。
次に、制作された楽曲データをカードに書き込む処理が実行される（ステップＳ２１２）。ここでは、当該カードにデータ書込可能なカード・ライタを用いて、先に制作された楽曲データを書き込む。
【００２１】
以上のようにして作成されたカードは、有料で販売されるか無料で配布される。すなわち、図２（ｂ）に示すように、販売（配布）形態に従い商品化のための作業をする（例えば、商品としてパッケージする）（ステップＳ２２１）。
そして、販売（配布）形態に従って販売（配布）を実施する（ステップＳ２２２）。
なお、ここでいう販売（配布）の形態とは、例えば、以下の形態が挙げられる（図３参照）。
【００２２】
（１）カードを、お菓子やおもちゃや雑誌の付録としてパッケージする。カード自体はどんな曲が入っているかわからないようにする。あるいは、〜（歌手）シリーズ、〜（最新曲）シリーズ、〜（ロック、邦楽ポップスなどジャンル）シリーズなど、ある程度特定できるようにパッケージしてもよい。この場合、カードを無料で配布することになるので、前述のようにインターネット等のネットワークを介して楽曲データをダウンロードする場合のように、消費者には課金の負担感がない。また、カードに曲名などを意図的に記述しないことにより、このカードからどんな曲が出てくるのか、といったワクワク感が消費者には楽しめる。
（２）おもちゃショップ、雑貨ショップ、書店など、それぞれの購買層のターゲットに合わせ単品で販売する。この場合はＣＤショップのように、歌手／曲名を特定しジャンル別に陳列するのがよい。例えば、おもちゃショップでの販売は、アニメ主題歌などを記録したカードを陳列・販売する。例えば、単品で安くシリーズ化して販売すれば、店頭で見る方が配信サイトで確認するよりも購買意欲が向上する。特に店頭では派手な宣伝が期待できる。
（３）くじ引きや商売上の景品としてパッケージする。このように、くじ引きや商売上の景品としてカードを供給すれば、販売促進の効果が期待できる。なお、このときは意図的にカードの内容がわからないようにするのがよい。
【００２３】
次に、カードの利用時の過程、すなわち楽曲データ再生装置１の動作は、以下のようになる。
【００２４】
はじめに、装着されたカードから楽曲データを読み込む（ステップＳ２３１）。このとき、楽曲データ再生装置１では、カードがカードＩ／Ｆ・１ｂに装着されると、このカードの装着を検出したカードＩ／Ｆ・１ｂから、ＣＰＵ・１ａにこの検出を通知する割り込み信号が送られる。ＣＰＵ・１ａは、この割り込み信号を受けると直ちにカードＩ／Ｆ・１ｂに装着されたカードから、カードＩ／Ｆ・１ｂおよびバス１０を介して楽曲データを読み込む。このようにして、楽曲データ再生装置１は、カードの装着と同時に楽曲データを読み込む。
【００２５】
そして、読み込んだ楽曲データを、楽曲データ再生装置１にて再生するメロディのデータとして、ＲＡＭ・１ｃの所定エリアに登録する（ステップＳ２３２）。
次に、ＣＰＵ・１ａは、楽曲データ再生装置１に対する利用者の操作あるいは設定された条件に応じて、登録された楽曲データを音源１ｅに供給し、音源１ｅに当該楽曲データに基づくメロディを再生させスピーカ１ｆから放音させる（ステップＳ２３３）。
以上、カード作成（楽曲データの書き込み）およびカードの配布の過程からカード利用（楽曲データ再生装置１の動作）までの過程を説明した。
なお、上記の楽曲データをＲＡＭ・１ｃに登録する工程は必ずしも必要ではない。カードを常に装着し、所定の条件において楽曲データの読み込みと再生を同時に行ってもよい。
【００２６】
なお、楽曲データ再生装置１の実体により登録した楽曲データの使用方法が異なる。以下、いくつか例を示す。
（１）楽曲データ再生装置１が携帯情報端末（ＰＤＡ）である場合：
登録された楽曲データを、当該携帯情報端末に備わるスケジュール機能により、時刻がユーザにより設定されたスケジュール時刻となった時のアラーム音として再生する。あるいは、楽曲データを、当該携帯情報端末にデータベースとして登録された情報（例えば個人情報）の個々の項目に対応させ登録し、個々の項目が呼び出された時に対応するメロディを再生する。
【００２７】
（２）楽曲データ再生装置１が電子オルゴールである場合：
従来からある一般的なオルゴールと同様に、その蓋が開けられたときに、登録された楽曲データを再生する。この電子オルゴールにアラーム機能があればアラーム音として楽曲データを再生する。
（３）楽曲データ再生装置１が電子目覚まし時計である場合：
この例では、設定されたアラーム時刻に、アラーム音として楽曲データを再生する。
【００２８】
（４）楽曲データ再生装置１が電子ペット型ロボットである場合：
電子ペット型ロボットの動作に対応して楽曲データを登録し、その動作に応じた楽曲データを再生する。例えば頭をなぜたときは、これに対応させ登録されたやさしいメロディの楽曲データを再生し、叩いたときには、これに対応させ登録されたきついメロディの楽曲データを再生する。
（５）楽曲データ再生装置１が携帯電話である場合：
いわゆる、着信メロディとして登録された楽曲データを再生する。
【００２９】
以上、この発明の実施形態を、図面を参照して詳述してきたが、具体的な構成はこの実施形態に限られるものではなく、この発明の要旨を逸脱しない範囲の構成等も含まれる。
【００３０】
【発明の効果】
以上、詳細に説明したように、本発明の楽曲データ再生装置によれば、そのカードインターフェースが、楽曲データを記憶する記憶媒体を有する他の異なる種類の再生装置と共用されるカードにアクセスすることによって楽曲データを読み込み、所定の条件において読み込まれた楽曲データを再生する。また、本発明の楽曲データ再生装置によれば、そのカードインターフェースが、楽曲データを記憶する記憶媒体を有する他の異なる種類の再生装置と共用されるカードにアクセスすることによって楽曲データを読み込み、登録手段が、読み込まれた楽曲データを登録する。そして、カードから読み込まれ登録された楽曲データが、所定の条件下で再生される。
このような本発明によれば、カードにアクセスすることで楽曲データを読み込むので、楽曲データを読み込むための操作が非常に簡単なものとなる。
また、本発明は、楽曲データの再生が可能な様々な機器に適用することが可能である。携帯情報端末または電子オルゴールまたは電子目覚まし時計または電子ペット型ロボットまたは携帯電話機に適用すると、上記のように楽曲データを読み込むための操作が非常に簡単であるので、各種機器の操作に慣れていない人にも手軽で馴染みやすい。また、それぞれの機器において、それぞれの目的（所定の条件）に応じた楽曲データの再生を行わせることも可能となる。
また、一つのカードで上記に示す様々な機器に楽曲データを登録することができるので、利用者は手軽に様々な機器から好みの楽曲を再生させることができる。
【図面の簡単な説明】
【図１】本発明の一実施の形態である楽曲データ再生装置の概略構成を示すブロック図である。
【図２】同実施の形態において、カード作成（楽曲データの書き込み）およびカードの配布の過程からカード利用（楽曲データ再生装置の動作）までの過程を説明するフロー図である。
【図３】同実施の形態の楽曲データ再生装置の各種利用（使用）形態を示す図である。
【符号の説明】
１…楽曲データ再生装置、１ａ…ＣＰＵ、１ｂ…カードＩ／Ｆ、１ｃ…ＲＡＭ、１ｄ…ＲＯＭ、１ｅ…音源、１ｆ…スピーカ
【図１】
2004061549.tif 000003
【図２】
2004061549.tif 000004
【図３】
2004061549.tif 000005